(57)【要約】【課題】  横編機用引下げ装置を改良して、改善される引下げ機能のほかに、編目形成機能の質的な改善も行われるようにする。【解決手段】  少なくとも２つの針床（１，１’）を有する横編機であって、これらの針（２，２’）が縦に移動可能に設けられ、各針（２，２’）に、揺動可能に支持されてキャリジのカムにより制御されかつ編目形成縁（５１）を持つ引下げシンカ（５，５’）が関連しているものにおいて、各針（２，２’）に、揺動可能に支持されかつキャリジのカムにより引下げシンカ（５，５’）とは無関係に制御可能な抑止シンカ（４，４’）が更に関連し、引下げシンカ（５，５）の開放運動の際及び／又は編目（１２’，１３）を保持する針（２，２’）の押出し運動の際、抑止シンカ（４，４’）により、編目（１２’，１３）が編目空間内に抑止可能である。【選択図】  図１
2004316063.tif 000002
【特許請求の範囲】
【請求項１】
少なくとも２つの針床（１，１’）を有する横編機であって、これらの針（２，２’）が縦に移動可能に設けられ、各針（２，２’）に、揺動可能に支持されてキャリジのカムにより制御されかつ編目形成縁（５１）を持つ引下げシンカ（５，５’）が関連しているものにおいて、各針（２，２’）に、揺動可能に支持されかつキャリジのカムにより引下げシンカ（５，５’）とは無関係に制御可能な抑止シンカ（４，４’）が更に関連し、引下げシンカ（５，５）の開放運動の際及び／又は編目（１２’，１３）を保持する針（２，２’）の押出し運動の際、抑止シンカ（４，４’）により、編目（１２’，１３）が編目空間内に抑止可能であることを特徴とする、横編機。
【請求項２】
引下げシンカ（５，５’）が、編目形成縁（５１）より下に、同じ針床（１，１’）の関連する針（２，２’）により形成される編目（１３）を抑止する溝（５３）を持っていることを特徴とする、請求項１に記載の横編機。
【請求項３】
抑止シンカ（４，４’）が、抑止シンカ（４，４’）の適当な揺動位置において、同じ針床の関連する針（２）で編目を形成する際引下げシンカ（５）の編目形成縁（５１）にある糸の位置を決定する第１の作用面（４２）と、抑止シンカ（４，４’）の適当な揺動位置において引下げシンカ（５，５）の開放の際編目（１３）を抑止する第２の作用面（４３）を持っていることを特徴とする、請求項１又は２に記載の横編機。
【請求項４】
第１の作用面（４２）が、抑止シンカ（４，４’）の適当な揺動位置において、対向する針（２’）が押出し運動している時、この対向する針（２’）の編目（１２’）を抑止することを特徴とする、請求項３に記載の横編機。
【請求項５】
抑止シンカ（４）の第１の作用面（４２）と前方駆動される対向針（２’）が、歯口間隙を閉じることを特徴とする、請求項３又は４に記載の横編機。
【請求項６】
抑止シンカ（４）が、針床（１，１’）に沿って導かれる針金（６）の周りに揺動可能であることを特徴とする、請求項１〜６の１つに記載の横編機。
【請求項７】
引下げシンカ（５，５’）が、針床（１，１’）に取付けられた支持素子（８）の周りに揺動可能であることを特徴とする、請求項１〜６の１つに記載の横編機。
【請求項８】
支持素子（８）がかまぼこ状の上側（８１）を持ち、適当に形成された溝（５５）を持つ引下げシンカ（５，５’）が上側（８１）上を滑ることを特徴とする、請求項７に記載の横編機。
【請求項９】
支持素子（８）が良好な滑り特性を持つ材料から製造されていることを特徴とする、請求項７又は８に記載の横編機。
【請求項１０】
引下げシンカ（５，５’）用支持素子（８）の位置が、歯口間隙幅（２Ｋ）を変化するため、針床（１，１’）上で移動可能であることを特徴とする、請求項７〜９の１つに記載の横編機。
【請求項１１】
引下げシンカ（５，５’）が、支持素子（８）に係止可能であり、支持素子（８）と共に針床（１，１’）から取外し可能であり、針床（１，１’）の別の個所に取付け可能であることを特徴とする、請求項１０に記載の横編機。
【請求項１２】
引下げシンカ（５，５’）が、針床（１，１）に対して直角な方向に、針案内片（１６）に形成される滑り面（１６１）により、外れるのを防止されて案内されていることを特徴とする、請求項１〜１１の１つに記載の横編機。
【請求項１３】
針案内片（１６）の上方揺動の際、引下げシンカ（５，５’）が、支持素子（８）の上側（８１）に対して平行に延びる支持素子（８）の溝（８２）へ係合する脚辺（５９）により、脱落を防止されることを特徴とする、請求項７〜１２の１つに記載の横編機。
【請求項１４】
引下げシンカ（５，５’）が、針床突片（１４）と針金案内板（３，３’）との間に側方を案内されていることを特徴とする、請求項１〜１３の１つに記載の横編機。
【請求項１５】
カムの作用を受けていない時、引下げシンカ（５，５’）がばね（１５）により最も前の揺動位置に保持されることを特徴とする、請求項１〜１４の１つに記載の横編機。
【請求項１６】
ばね（１５）が、針床（１）に係止可能で異なる係止位置に固定可能な脚辺ばねであることを特徴とする、請求項１５に記載の横編機。
【請求項１７】
脚辺ばね（１５）が、引下げシンカ（５，５’）の後方端部（５０２）の下側（５７）に作用することを特徴とする、請求項１６に記載の横編機。
【請求項１８】
支持素子（８）の上側（８１）、支持素子（８）にある溝（８２）、針案内片（１６）にある滑り面（１６１）、ばね（１５）、及びこれらの素子（８１，８２，１６１，１５）と共同作用する引下げシンカ（５，５’）の範囲（５５，５６，５９）は、針案内片（１６）が開かれる際、引下げシンカ（５，５’）の後方端部（５０２）がばね（１５）の上へ載った後、針案内片（１６）の閉鎖運動のみによって、引下げシンカ（５，５’）が初期位置へもたらされるように、形成されていることを特徴とする、請求項７〜１３及び１５〜１７の１つに記載の横編機。
【請求項１９】
請求項１〜１８の１つの記載の横編機上で編物を製造する方法であって、次の段階を含む
ａ）針（２，２’）が引込められ、かつ引下げシンカ（５，５’）が上方へ少し揺動され、それにより編目脚辺が引下げシンカ（５，５’）の溝（５３）へ滑り込み、続いて引下げシンカ（５，５’）が最も前の揺動位置へ揺動され、抑止シンカ（４，４’）が前方へ揺動されて、その第２の作用面（４３）が古い編目を確実にその位置に保持し、この位置から編目が引下げシンカ（５，５’）の溝（５３）へ達し、
ｂ）編目形成のため針（２，２’）が押出され、抑止シンカ（４，４’）が最も前の揺動位置へ揺動され、この揺動位置で抑止シンカが、場合によっては対向する針上にある編目を抑止し、
ｃ）針（２，２）が引込められ、糸が針鈎（２１）へ挿入され、抑止シンカ（４，４’）が揺動され、その第１の作用面（４２）が、依然として最も前の揺動位置にある引下げシンカ（５，５）の編目形成縁（５１）への当接位置へ糸をもたらし、編目形成縁（５１）が、最も短い糸条又は均一な長さの糸条を針鈎（２１）の所に生じ、
ｄ）針（２，２’）が更に引込められ、挿入位置を持つ針鈎（２１）が古い編目に通され、
ｅ）針（２，２’）の最も低い編目形成位置で、引下げシンカ（５，５’）が短時間開かれ、続いて閉じられ、その際編目脚辺（１３’）が引下げシンカ（５，５’）の溝（５３）へ滑り込み、抑止シンカ（４，４’）が、段階ａ）におけるように編目抑止位置へ動かされる
ことを特徴とする方法。
【発明の詳細な説明】
【技術分野】
【０００１】  本発明は、少なくとも２つの針床を有する横編機であって、これらの針が縦に移動可能に設けられ、各針に、揺動可能に支持されてキャリジのカムにより制御されかつ編目形成縁を持つ引下げシンカが関連しているものに関する。
【背景技術】
【０００２】  編機では、編目をある程度の張力で針幹に保持でき、針の前方駆動の際針により編目を連行しないようにする装置を提供する努力が前からなされている。その結果、各針に関連して開放位置と閉鎖位置との間で揺動運動を行うことができる引下げシンカが開発された。閉鎖位置で引下げカムは、針が押出されると、編目を抑止する。【０００３】  広く普及した構造形式では、これらの引下げシンカは同時に引下げ素子及び編目形成片であり、従って編目形式縁を持っている。このような引下げシンカは、例えばドイツ連邦共和国特許第１１７２３９６号明細書に記載されている。編目はこのシンカの胸面の周りに形成される。上方へのシンカの揺動運動により、編目は抑止鈎の後に位置するシンカ胸面へ滑り、それにより抑止鈎により捕捉される。【０００４】  別の引下げシンカが欧州特許第０５７８４５８号明細書に記載されている。この引下げシンカに、針床に固定的に設けられる糸入れ板が関連ずけられている。引下げシンカの胸面は編目形成機能を果たす。上方への引下げシンカの揺動運動により、編目が溝の後にあるシンカ面へ滑る。続いて引下げシンカがばね力により下方へ動き、編目を溝の中に保持する。糸入れ板は付加的な安全機能を持っている。引下げシンカが上方への揺動運動を行うと、糸入れ板の面が針鈎への糸の挿入を助長する。【０００５】  欧州特許第０２３８７９７号明細書から公知の引下げシンカは、片面及び両面編物においてその機能を果たすことができる。片面編物では、編目が引下げシンカの編目形成縁の周りに形成される。続く下方への揺動運動により、編目はシンカにある溝へ滑り込み、そこに保持される。その際前部針床及び後部針床のシンカは、常に同時に開閉される。すべての引下げシンカが閉鎖位置にあると、対向する両針床の引下げシンカが殆ど互いに接触し、それにより歯口間隙を覆う橋を形成される。この橋の形成により、両面編物では、針が前方駆動運動を行う時、編目がその脚辺を抑止される。
【発明の開示】
【発明が解決しようとする課題】
【０００６】  本発明の基礎になっている課題は、公知の横編機用引下げ装置を改良して、改善される引下げ機能のほかに、編目形成機能の質的な改善も行われるようにすることである。
【課題を解決するための手段】
【０００７】  この課題は、最初にあげた種類の横編機において、各針に、揺動可能に支持されかつキャリジのカムにより引下げシンカとは無関係に制御可能な抑止シンカが更に関連し、引下げシンカの開放運動の際及び／又は編目を保持する針の押出し運動の際、抑止シンカにより、編目が編目空間内に抑止可能である。【０００８】  従って抑止シンカは、公知のように編目形成縁の下に編目を抑止する溝を持つことができる引下げシンカの抑止機能を改善する。引下げシンカの開放運動の際編目がこの溝から飛び出すことがあっても、編目が抑止シンカにより編目空間内に保持される。引下げシンカに比べて抑止シンカの別個の制御可能性により、抑止シンカは編目形成の最適化のためにも使用される。即ち好ましい実施形態では、抑止シンカが、抑止シンカの適当な揺動位置において、同じ針床の関連する針で編目を形成する際引下げシンカの編目形成縁にある糸の位置を決定する第１の作用面と、抑止シンカの適当な揺動位置において引下げシンカの開放の際編目を抑止する第２の作用面を持っているようにすることができる。その際第１の作用面が、抑止シンカの適当な揺動位置において、対向する針が押出し運動している時、この対向する針の編目を抑止するように、抑止シンカが構成されかつ配置される。その際抑止シンカの第１の作用面と前方駆動される対向針が、歯口間隙を閉じると、特に有利である。そのため、前方駆動された位置にある対向針と前方揺動位置にある抑止シンカとが殆ど接触するか又は異なる高さ位置で重なるように、抑止シンカを配置するのが好ましい。【０００９】  抑止シンカは、針床に沿って導かれる針金の周りに揺動可能である。この針金は針床のすべての抑止シンカ用の揺動支持体として役立つ。【００１０】  引下げシンカのために、針床に取付けられる支持素子を揺動支持体として設けることができる。支持素子はかまぼこ状の上側を持ち、適当に形成された溝を持つ引下げシンカが上側上を滑る。支持素子は別個の構造素子なので、なるべく良好な滑り特性を持つ材料から製造することができる。【００１１】  引下げシンカ用支持素子の位置が、歯口間隙幅を変化するため、針床上で移動可能であると、別の利点が生じる。従って歯口間隙は、個々の針の範囲で幅を変化されることができる。これにより従来技術による横編機と比べて、全く異なる模様効果が得られる。【００１２】  引下げシンカが、支持素子に係止可能であり、支持素子と共に針床から取外し可能であり、針床の別の個所に取付け可能であると、別の利点が生じる。取外しのため、引下げシンカに係合してこれを支持素子と共に針床から外す工具を使用することができる。それにより歯口間隙幅の変化が、針床における大きい分解作業なしに迅速かつ簡単に可能である。【００１３】  引下げシンカが、針床に対して直角な方向に、針案内片に形成される滑り面により、外れるのを防止されて案内されているようにすることができる。針案内片の上方揺動の際、引下げシンカは、支持素子の上側に対して平行に延びる支持素子の溝へ係合する脚辺により、脱落を防止されることができる。これにより、針交換のために必要な針案内片の開放の際、引下げシンカが脱落しないようにすることができる。【０���１４】  引下げシンカが、針床突片と針金案内板との間に側方を案内されているようにすることができる。この案内片により、引下げシンカは、それに当接する編目により生じることがある側方力を受止めることができる。【００１５】  引下げシンカが常に所定の初期位置をとると、別の利点が生じる。そのためカムの作用を受けていない時、ばねにより最も前の揺動位置に保持される。ばねは、針床に係止可能で異なる係止位置に固定可能な脚辺ばねであってもよい。異なる係止位置により、引下げシンカの抑止力がその溝に現われ、この抑止力により編目脚辺が引下げられる。針床への係止結合により、ばねの位置の移動が針床の分解なしに可能である。脚辺ばねは、引下げシンカの後方端部の下側に作用することができる。【００１６】  支持素子の上側、支持素子にある溝、針案内片にある滑り面、ばね、及びこれらの素子と共同作用する引下げシンカの範囲は、針案内片が開かれる際、引下げシンカの後方端部がばねの上へ載った後、針案内片の閉鎖運動のみによって、引下げシンカが動作位置即ち最も前の揺動位置へもたらされるように、形成されているのがよい。このような構成では、引下げシンカの交換が、従来技術による横編機と比べて極めて簡単である。その際引下げシンカは、支持素子なしでも、取外して交換することができる。【００１７】  本発明は、本発明による横編機上で編物を製造する方法にも関し、次の段階を含むことを特徴としている。
ａ）針が引込められ、かつ引下げシンカが上方へ少し揺動され、それにより編目脚辺が引下げシンカの溝へ滑り込み、続いて引下げシンカが最も前の揺動位置へ揺動され、抑止シンカが前方へ揺動されて、その第２の作用面が古い編目を確実にその位置に保持し、この位置から編目が引下げシンカの溝へ達し、
ｂ）編目形成のため針が押出され、抑止シンカが最も前の揺動位置へ揺動され、この揺動位置で抑止シンカが、場合によっては対向する針上にある編目を抑止し、
ｃ）針が引込められ、糸が針鈎へ挿入され、抑止シンカが揺動され、その第１の作用面が、依然として最も前の揺動位置にある引下げシンカの編目形成縁への当接位置へ糸をもたらし、編目形成縁が、最も短い糸条又は均一な長さの糸条を針鈎の所に生じ、
ｄ）針が更に引込められ、挿入位置を持つ針鈎が古い編目に通され、
ｅ）針の最も低い編目形成位置で、引下げシンカが短時間開かれ、続いて閉じられ、その際編目脚辺が引下げシンカの溝へ滑り込み、抑止シンカが、段階ａ）におけるように編目抑止位置へ動かされる。【００１８】  本発明による方法及び本発明による横編機によって、１針床編物も２針床編物も製造される。目移し過程において、抑止シンカにより、編目がそれぞれ対向する針床上に抑止される。片面編物において非常に大きい編目を形成する際にも、これらの編目を、抑止シンカの作用面により対向する針に抑止することができる。【００１９】  本発明による横編機の好ましい実施例が、図面に基いて以下に詳細に説明される。
【発明を実施するための最良の形態】
【００２０】  図１の断面図は、編目形成が行われる針床１の範囲を示している。針床１には、縦に移動可能に針２が支持されている。針金の案内板３により間隔をおいて、針２に対して平行に、ここでは初期位置で示される抑止シンカ４が設けられている。抑止シンカ４は、針金６により形成される軸線の周りに揺動運動を行うことができ、この揺動運動の方向及び大きさは、シンカ頭部４１に作用する図２の曲線軌道Ｃにより影響される。曲線軌道Ｃは、シンカ頭部４１へ矢印Ｘ又はＸ’の方向に力を及ぼす。【００２１】  抑止シンカ４は２つの作用面４２，４３を持っている。これらの作用面の機能については後述する。抑止シンカ４のすぐ後には、初期位置で示す引下げシンカ５が設けられ、針床１上に設けられている支持素子８の周りに揺動運動を行うことができる。引下げシンカ５は、矢印Ｚの方向に作用する図示しないばねの力により、図１に示す初期位置へ押し付けられている。この位置は、引下げシンカ５に形成される溝５３が針２の鈎２１に対して、最も低い位置をとる位置でもある。引下げシンカ５は同時に編目形成体及び編目抑止素子である。従って引下げシンカ５は、編目を抑止する溝５３のほかに、編目形成縁５１を持っている。編目が形成される間、この編目形成縁５１に、針２により形成すべき編目の編目脚辺が当接する。引下げシンカ５は更に編目保持面５２を持ち、引下げシンカ５の外方揺動の際編目が溝５３により捕捉される前に、編目が短時間この編目保持面５２に当接する。引下げシンカ５の構成は、その編目形成縁５１、溝５３及び編目保持面５２に関して、従来技術に大幅に一致している。【００２２】  図２は、概略図で針２、引下げシンカ５及び抑止シンカ４を制御するため、図１の横編機のキャリジの他の点について図示しないカムの曲線軌道Ａ，Ｂ，Ｃを示している。曲線Ａは針２に関連し、曲線Ｂは引下げシンカ５に関連し、曲線Ｃは抑止シンカ４に関連している。鎖線１０１は３つの曲線軌道Ａ，Ｂ，Ｃの共通な中心を示している。キャリジが矢印Ｙの方向に動かされると、編成、編目形成及び抑止用素子２，５及び４は、曲線軌道Ａ，Ｂ，Ｃにより規定される運動を行う。曲線部分ａでは、針２、引下げシンカ５及び抑止シンカ４は、図１に示す初期位置にある。曲線部分ｂでは、針２が初期位置から引込められる。引下げシンカ５は短い開口運動及び閉鎖運動を行い、抑止シンカ４は編目抑止位置へもたらされる。素子２，４，５のこの運動は慎重な運動であり、それにより編目を形成するための針押出し運動が始まる前に、すべての編目脚辺が引下げシンカ５の溝５３内にある（図１）ようにすることができる。【００２３】  曲線部分ｃには、編目形成のための針２の押出し運動が示されている。この運動中に片面編み物において、引下げシンカ５は溝５３により関連する編目を抑止する。抑止シンカ４は、運動可能に設けられるカム片Ｃ’が矢印Ｗの方向に移動されることにより、最も前の位置へもたらされる。この最も前の位置において、抑止シンカ４の作用面４２（図１）が、両面編物のために必要であるように、対向する針の編目を抑止する。【００２４】  部分ｄでは、針２が引込み運動している。その鈎２１（図１）へ、１つ又は複数の糸が挿入さ��る。引下げシンカ５は初期位置にある。可動に設けられているカム片Ｃ”を矢印Ｖの方向へ移動することにより、引下げシンカ５の編目形成面５１へ糸が当接する位置を作用面４２が決定する位置へ、抑止シンカ４が揺動される。複数の糸の場合、抑止シンカ４の適当な揺動により更に作用面４２がすべての糸を並んで編目形成面５１へ当接する理想的な位置へもたらし、それにより糸がそこで同時に個々に当接するようにすることができる。これは図５を参照して後述される。【００２５】  曲線部分ｅでは、針は最も低い引込み位置即ち編目形成位置にある。引下げシンカ５は、短い開放運動及び閉鎖運動を行い、それにより、形成される編目が引下げシンカ５の溝５３へ滑り込む。この短い開放運動を確実にするため、抑止シンカ４が編目抑止位置へもたらされる。この過程は図６において更に説明される。【００２６】  図３には、図１に対応する断面図で、対向する図示しない針床の針２’の針幹２２’上における編目１２’の抑止シンカ４による抑止が、示されている。抑止シンカ４は、矢印Ｘの方向への作用により最も前の位置へ揺動されている。この位置で、針２’が外方へ動かされる間に、シンカ４の作用面４２が針２’の針幹２２’上にある編目１２’の編目脚辺１２”へ係合して、この編目１２’を抑止することができる。抑止シンカ４の作用面４２は従ってここでは抑止面である。【００２７】  図４には、３つの糸で編成する場合針床１にある針２により編目を形成する際、作用面４２がどのように作用するかが示されている。係止シンカ４は、作用面４２が針鈎２１と鋭角１２０をなすまで、軸線６の周りに揺動されている。作用面４２のこの位置により、糸は引下げシンカ５の編目形成面５１へ個々に当接し、従って編目形成面５１への最適な当接位置に、即ち針鈎４１と同じ高さで当接位置にある。引下げシンカ５は、ばね力により矢印Ｚの方向に初期位置へ揺動される。【００２８】  図５では、５つの個々の糸から編目を形成する際における抑止シンカ４の作用が示されている。抑止シンカ４はカムにより今や矢印Ｘ’の方向に揺動されて、その作用面４２が針後壁と図４の角１２０より大きい角１３０をなしている。作用面４２のこの位置により、すべての糸が並んで引下げシンカ５の編目形成縁５１に当接するのを保証される。このことは、すべての糸が同じ長さの編目ループを形成するために重要である。糸は、更に再び針鈎２１と同じ高さに、従って針鈎２１に対して最短の距離の所即ち理想的な編目形成位置にある。鎖線１００により、両方の針床の間の歯口間隙の中心線が示され、図には、それぞれ針床１のみが示されている。【００２９】  図６は、同じ針床１の針２による編目形成の際における抑止シンカ４の作用面４３の作用を示している。抑止シンカ４は軸線６の周りに矢印Ｘの方向に揺動されて、引下げシンカ５が開放運動を行うと、抑止シンカ４の作用面４３が編目１３の脚辺１３’を抑止し、従って編目脚辺１３’はもはや引下げシンカ５の溝５３内にはない。編目脚辺１３’は、引下げシンカ５の端部へ作用する力Ｚ’により支持素子８の周りにおける引下げシンカ５の戻り揺動によって、引下げシンカ５の編目保持面５２に当接している。【００３０】  図７，８��び９には、異なる編成過程において、針床１’の鏡像的に同じ素子２’，５’，４’に関して、編成、編目形成及び抑止用の素子２，５，４の相対位置が示されている。【００３１】  図７には、針２，２’、針金案内板３，３’、引下げシンカ５，５’及び抑止シンカ４，４’が、両面編物を形成する際における針床１，１’の初期位置で示されている。図は、針床１の針２と対向する針床１’の抑止シンカ４’とが殆ど互いに接触していることを示している。それにより対向する抑止シンカ４’が、針２上にある編目を抑止することができる。逆に同じことが、針床１’の針２’により形成される編目についても当てはまる。これらの編目は、針床１の対向する抑止シンカ４により抑止される。針２，２’が押出され、抑止シンカ４，４’が最も前の揺動位置にある時、この大体の相互接触が行われる。その時歯口間隙は閉じられている。【００３２】  図８は、針床１のうち再びすべての編目形成素子２，４，５を示しているが、針床１’のうち針２’のみを示している。針２，２’は互いに初期位置にある。ここで抑止シンカ４は針２’の下側と重なり、その際針２’より下に設けられている。【００３３】  図９は原理的に図８に一致する図を示し、針床１’のうち針２’のみが示されている。ここで針２，２’は互いに目移し位置にある。抑止シンカ４は針２’の下側に重なっていないが、針２’の一層近くに設けられて、編目を針２’上に確実に抑止することができる。【００３４】  図１０〜１４は、引下げシンカ５の構成、支持及び案内と、針床１上におけるその移動可能な配置を示している。断面図は、再び初期位置にある引下げシンカ５の範囲における針床１の断面図である。図１０からわかるように、支持素子８は針床突片１４上に設けられている。そのためこの突片１４は係止開口１４１，１４１’，１４２，１４２’を持っている。支持素子８には係止脚８５，８６が設けられて、係止開口１４１’，１４２’内に択一的に係止可能である。図示した例では、係止脚８５，８６は前部係止開口１４１，１４２へ差込まれている。これにより、小さい歯口間隙が生じ、図１２に半分の歯口間隙幅Ｋが記入されている。支持素子８を係止開口１４１’，１４２’へずらすことにより、歯口間隙幅２Ｋを増大することができる。【００３５】  支持素子８は、弧状即ちかまぼこ形の状の面８１を持ち、引下げシンカ５の対応して形成される溝５５がこの上面８１上を滑ることができる。引下げシンカ５の右方への揺動運動は、引下げシンカ５の後端の下側にある面５７へばね１５が作用することによって行われる。そのためばね１５は面５７へ当接するばね脚辺１５１を持っている。引下げシンカ５の閉鎖の終端位置は、引下げシンカ５のストッパ面５８により規定される。このストッパ面５８は、針案内片１６の面１６４に当接する。この針案内片１６は、引下げシンカ５を更に針床１に対して垂直な方向に案内する。そのため針案内片１６は面１６１を持ち、引下げシンカ５の上側にある円弧面５６がこの面１６１に沿って滑る。針案内片１６は、上方揺動によって開かれる。このような開放運動の際、引下げシンカ５が脱落しないようにする。従って垂直方向における第２の固定は、支持素子８のかまぼこ���上側８１に対してほぼ平行に延びる支持素子８の溝８２の形で行われる。この溝８２へ、引下げシンカ５の対応して形成される脚辺５９が係合している。【００３６】  溝５３内にある編目へ引下げシンカ５が及ぼす力は、針床突片１６上でばね１５をずらすことにより変化することができる。そのため針床突片１１４に別の係止開口１４３’，１４３’，１４３’’及び１４４，１４４’，１４４’’を設けることができる。それにより、係止脚１５４，１５５を備えたばね１５のために３つの異なる係止位置が生じる。図１０の図示した例では、係止脚１５４，１５５は前部係止開口１４３，１４４内にあり、それによりばね１５は最も弱いモーメントを引下げシンカ５へ導入する。係止脚１５４，１５５のそばで、ばね１５の本体１５３から頭部１５６が針床突片片１４の上縁を越えて突出している。ばね１５はこの頭部１５６を工具により捕捉されて、係止開口１４３，１４４から外されて、別の係止開口１４３’，１４４’又は１４３”，１４４”内へ係止されることができる。【００３７】  図１１は図１０に一致する図を示しているが、支持素子８は係止開口１４１’，１４２’内に係止され、それにより半分の歯口間隙幅Ｋが増大されている。図１１に示す引下げシンカ５の一層後の位置で前方への揺動運動が、針案内片１６の面１６５に当接する引下げシンカ５の上側にある面５００によって限定される。【００３８】  図１２は、引下げシンカ５が支持素子８に固定的に係止される位置にある支持素子８及び引下げシンカ５を示している。引下げシンカ５及び支持素子８のこの固定的係止は、両方の素子５，８を針床突片１４のそれぞれ異なる係止開口１４１，１４１’，１４２，１４２’へずらすのを容易にする。両方の素子５，８の相互係止後、これらの素子を工具により捕捉し、一緒にずらすことができる。素子５，８の係止は、図１０及び１１に示す針案内片１６の固定楔１７を取外し、針案内片１６を上方へ揺動し、引下げシンカ５に矢印Ｑの方向へ力を加えることによって行われる。それにより引下げシンカ５の脚辺５９にある溝５９’，５９”が、支持素子８の溝８２にある適当な突起８２’，８２”に係止結合を行う。それから工具により矢印Ｒ，Ｒ’の所でシンカ５が捕捉され、上方へ引抜かれる。それにより係止脚８５，８６が係止開口１４１’，１４２’から外れる。続いて引下げ素子５及び支持素子８から成る単位が前方へ移動され、引下げシンカ５へ力Ｓ，Ｓ’が及ぼされ、それにより支持素子８の係止脚８５，８６が針床突片１４の係止開口１４１，１４２へはめ込まれる。その後引下げシンカ５が、簡単な揺動により支持素子８との係止を外され、針案内片１６が閉じられ、固定楔１７が再び導入される。【００３９】  図１３は図１１に相当する図を示すが、ばね１５は今や最も後の位置即ち係止開口１４３”，１４４”に係止されている。図１３は、引下げシンカ５の後方端部５０２が針床突片１４と針金案内板３との間に案内されて、矢印Ｚ’の方向にシンカ面５０１へ力が加わる際生じる横力をカムの制御曲線により受止めることができる。【００４０】  しかし引下げシンカ５の側方案内は、後方端部５０２にのみ限定されるのではない。即ち図１４に示すように、引下げシンカ５は、針金案内板３と針床突片１４との間で、編目形成縁５１の後の範囲においても案内される。【００４１】  図１５〜２０は、例えば引下げシンカ５をその損傷後交換する際、新しい引下げシンカの挿入を示している。その際図１５〜２０は、針２用針溝の範囲における針床１の断面を再び示している。【００４２】  図１５は開かれた状態にある針案内片１６を示し、この開放位置は不動作位置である。係止は、案内針金１１が係合する針案内片１６の揺動開口の溝１６５，１６５’により行われる。引下げシンカ５の後方端部５０２は、針床の関連する縦溝へ押込まれ、この縦溝は針突片１４及び針案内板３により側方を限定されている。押込みは、引下げシンカ５の面５７及び５０４がばね１５の脚辺１５１に当接することによって限定される。その場合引下げシンカ５の後方端部５０２に設けられるころがり面５０３が、針床突片１４の案内面１４６より下にある。【００４３】  図１６〜２０は、針案内片１６の簡単な閉鎖運動により、引下げシンカ５がどのようにして動作位置へもたらされるかを示している。【００４４】  図１６は、針案内片１６の最初の揺動により、案内面１６６が引下げシンカ５の上側にある円弧面５６に接していることを示している。更に引下げシンカ５の面５７及び５０４は、ばね１４の脚辺１５１に当接し、このころがり面５０３は針床突片１４の面１４６に支持されている。【００４５】  図１７に示すように針案内片１６が更に揺動運動する際、引下げシンカ５の面５０１が針床突片１４の面１４６に支持される。それにより引下げシンカ５は垂直方向及び水平方向に動かされる。【００４６】  図１８に示すように針案内片１６が更に閉鎖運動する際、引下げシンカ５の面５７がばね１５の脚辺１５１に更に当接し、その円弧面５６が今や案内面１６１に当接する。それにより引下げシンカ５は、下方へ強められる垂直運動を受ける。【００４７】  図１９は、針案内片１６を矢印Ｐの所で更に揺動する際、引下げシンカ５の溝５５が支持素子８の上側８１にどのように当接するかを示している。引下げシンカ５の脚辺は、支持素子８の溝区画の面８７に接触する。【００４８】  図２０は、針案内片１６をその閉鎖位置の直前で示している。引下げシンカ５の面５７は引続きばね１５の脚辺１５１に当接している。引下げシンカ５の面５５は、今や実際に完全に支持素子８の上側８１に当接している。引下げシンカ５の脚辺５９はまだ素子８の溝８２の外にある。しかし針案内片１６が完全に閉じられると、ばね１５が引下げシンカ５を初期位置へ押す。【００４９】  従って図１５〜２０は、針案内片１６にある適当な案内面、針床突片１４及び支持素子８と共同作用する引下げシンカ５の縁面の適当な構成、及びばね１５によって、引下げシンカの後方端部５０２をばね１５上に載せ、針案内片１６を閉鎖することにより、引下シンカ５を初期位置へもたらすことができることを示している。それにより引下げシンカの交換が著しく簡単になる。
【図面の簡単な説明】
【００５０】
【図１】  初期位置にある関連する引下げシンカ及び抑止シンカを持つ範囲における横編機針床の前部範囲の断面図を示す。
【図２】  図１の横編機の編成素子、編目形成素子及び抑止素子を制御する編成カムの曲線軌道の概略図を示す。
【図３】  対向する針床の針及び最も前の揺動位置にある抑止シンカを持つ横編機針床の図１に対応する断面図を示す。
【図４】  ３本の糸で編目を形成する針及びシンカを持つ横編機針床の図１に対応する断面図を示す。
【図５】  ５本の糸で編目を形成する際の素子を持つ横編機針床の図４に対応する断面図を示す。
【図６】  編目を保持する抑止シンカ及び開かれる引下げシンカを持つ横編機針床の図１に対応する断面図を示す。
【図７】  初期位置にある針床を持つ図１の横編機の両方の針床の一部の平面図を示す。
【図８】  第２の針床の異なる程度に押出された針を持ちかつ図７に対応する図を示す。
【図９】  針が互いに目移し位置にありかつ図７に対応する図を示す。
【図１０】  引下げシンカの範囲における図１の横編機針床の断面図を示す。
【図１１】  引下げシンカがずれて配置されている針床の図１０に対応する断面図を示す。
【図１２】  互いにずれている引下げシンカ及び抑止シンカの詳細図を示す。
【図１３】  引下げシンカ用の後退したばねを持つ針床の図１１に対応する断面図を示す。
【図１４】  図１１の矢印Ｔの方向に見た針床の一部を示す。
【図１５】  引下げシンカ挿入の第１の位置における開かれた針案内片を持つ針案内溝の範囲における針床の図１に対応する断面図を示す。
【図１６】  引下げシンカ挿入の第２の位置における図１５に対応する断面図を示す。
【図１７】  引下げシンカ挿入の第３の位置における図１５に対応する断面図を示す。
【図１８】  引下げシンカ挿入の第４の位置における図１５に対応する断面図を示す。
【図１９】  引下げシンカ挿入の第５の位置における図１５に対応する断面図を示す。
【図２０】  引下げシンカ挿入の第６の位置における図１５に対応する断面図を示す。
【符号の説明】
【００５１】１，１’                      針床
２，２’                      針
４，４’                      抑止シンカ
５，５’                      引下げシンカ
１２，１２’，１３，１３’    編目
【図１】
2004316063.tif 000003
【図２】
2004316063.tif 000004
【図３】
2004316063.tif 000005
【図４】
2004316063.tif 000006
【図５】
2004316063.tif 000007
【図６】
2004316063.tif 000008
【図７】
2004316063.tif 000009
【図８】
2004316063.tif 000010
【図９】
2004316063.tif 000011
【図１０】
2004316063.tif 000012
【図１１】
2004316063.tif 000013
【図１２】
2004316063.tif 000014
【図１３】
2004316063.tif 000015
【図１４】
2004316063.tif 000016
【図１５】
2004316063.tif 000017
【図１６】
2004316063.tif 000018
【図１７】
2004316063.tif 000019
【図１８】
2004316063.tif 000020
【図１９】
2004316063.tif 000021
【図２０】
2004316063.tif 000022